(57)【要約】      （修正有）【課題】ハーネス型安全帯を着用した状態で使用することのできるハーネス型安全帯の着用可能な空調服を提供する。【解決手段】空調服１０の一部に設けられた開口部１１と、この開口部１１に臨んで配設したファン１２と、前記ファン１２を駆動するモータと、前記モータを駆動する携帯可能な電源とを備え、前記ファン１２を駆動することにより、外気を空調服１０内に取り入れ、袖口或いは首周りから排出する空調服１０であって、空調服１０の背中部分に命綱１６取出し用の先端の開口した取出し筒１３を設けたので、ハーネス型安全帯を着用した状態でも命綱１６を取出して使用することができる。【選択図】図１
0003198778.tif 000002
【実用新案登録請求の範囲】
【請求項１】
空調服の一部に設けられた開口部と、この開口部に臨んで配設したファンと、前記ファンを駆動するモータと、前記モータを駆動する携帯可能な電源と備え、
前記ファンを駆動することにより、外気を空調服内に取り入れ、袖口或いは首周りから排出する空調服であって、
前記空調服の背中部分に命綱取出し用の先端の開口した取出し筒を設けたことを特徴とするハーネス型安全帯の着用可能な空調服。
【請求項２】
請求項１に記載のハーネス型安全帯の着用可能な空調服において、前記取出し筒は、筒部先端近傍に口紐が設けられており、前記口紐により取出し筒から引き出した命綱の周囲を緊縛して、取出し筒の開口部を密閉することを特徴とするハーネス型安全帯の着用可能な空調服。
【請求項３】
請求項１または２に記載のハーネス型安全帯の着用可能な空調服において、前記取出し筒の周囲には、非使用時に取出し筒を収納可能な収納片が設けられたことを特徴とするハーネス型安全帯の着用可能な空調服。
【請求項４】
請求項３に記載のハーネス型安全帯の着用可能な空調服において、前記収納片は、面ファスナーにより空調服本体に対して開閉可能であることを特徴とするハーネス型安全帯の着用可能な空調服。
【考案の詳細な説明】
【技術分野】
【０００１】
本考案は、高温、高湿度の環境下にあっても熱中症等を心配することなく作業のできる空調服、特に高所作業の際に落下防止用ハーネスを着用したまま使用することのできるハーネス型安全帯の着用可能な空調服の構造に関するものである。
【背景技術】
【０００２】
従来、高温条件下の空調服は、種々提案されている。例えば、空調服の両側面に開口部を設け、この開口部にファンを臨ませて配設し、携帯可能な電源により駆動されるモータにより前記ファンを駆動することにより、外気を空調服内に取り入れ、袖口或いは首周りから排出して冷却する形式のものが存在する。
更に、空調服の一部に外気取り入れ口を設け、空調服の開口部に配設したファンで、外気取り入れ口、袖口、首周りから取り入れた外気を服内を循環させた後に排出する形式のものも存在する。
【先行技術文献】
【特許文献】
【０００３】
【特許文献１】特開２００５−１６４１９号公報
【考案の概要】
【考案が解決しようとする課題】
【０００４】
安全帯には、腰ベルト型安全帯と図７に示すようなハーネス型安全帯の２種類が有り、高所作業等に使用されるハーネス型安全帯を装着しようとした場合に背中部分に命綱（ランヤード）１６が配置されている為に従来の空調服では使用することができないと云う欠点が存在した。
【０００５】
この考案は、上記したような不都合を解消するためになされたもので、空調服の背中部分に命綱取出し用の取出し筒を設けると共に、この取出し筒を密封可能に構成し、取出し筒から空気が漏れるのを防止して、冷却効率を損なうことのないハーネス型安全帯の着用可能な空調服を提供するものである。
【課題を解決するための手段】
【０００６】
この考案は、以下のような内容である。
（１）空調服の一部に設けられた開口部と、この開口部に臨んで配設したファンと、前記ファンを駆動するモータと、前記モータを駆動する携帯可能な電源と備え、前記ファンを駆動することにより、外気を空調服内に取り入れ、袖口或いは首周りから排出する空調服であって、前記空調服の背中部分に命綱取出し用の先端の開口した取出し筒を設けたことを特徴とする。
（２）（１）に記載のハーネス型安全帯の着用可能な空調服において、前記取出し筒は、筒部先端近傍に口紐が設けられており、前記口紐により取出し筒から引き出した命綱の周囲を緊縛して、取出し筒の開口部を密閉することを特徴とする。
（３）（１）または（２）に記載のハーネス型安全帯の着用可能な空調服において、前記取出し筒の周囲には、非使用時に取出し筒を収納可能な収納片が設けられたことを特徴とする。
（４）（３）に記載のハーネス型安全帯の着用可能な空調服において、前記収納片は、面ファスナーにより空調服本体に対して開閉可能であることを特徴とする。
【考案の効果】
【０００７】
本願考案によれば、空調服の一部に設けられた開口部と、この開口部に臨んで配設したファンと、前記ファンを駆動するモータと、前記モータを駆動する携帯可能な電源と備え、前記ファンを駆動することにより、外気を空調服内に取り入れ、袖口或いは首周りから排出する空調服であって、前記空調服の背中部分に命綱取出し用の先端の開口した取出し筒を設けたので、ハーネス型安全帯を着用しても命綱を支障なく取り出すことができる。したがって、従来では空調服の着用が困難であった場合でも支障なく空調服を着用でき、建設現場等で熱中症の予防が可能である。
また、前記取出し筒は、筒部先端近傍に口紐が設けられており、前記口紐により取出し筒から引き出した命綱の周囲を緊縛して、取出し筒の開口部を密閉するので、取出し筒から空気が漏れるのを防止することができる。したがって、空調服内の本来の空気の流れを阻害することなく、冷却効率を損なう虞がない。
また、前記取出し筒の周囲には、非使用時に取出し筒を収納可能な収納片が設けられたので、取出し筒を使用しない場合には、完全に収納することにより通常の空調服と同様に使用することができ、取出し筒が作業の支障となる虞がない。
また、前記収納片は、面ファスナーにより空調服本体に対して開閉可能であるので、取出し筒を使用する際には開成して取出し筒を引き出し、取出し筒を使用しない場合には閉成して取出し筒を収納することができる。また、面ファスナーを使用したので作業性に優れると共に、空調服からの突出量を少なくすることができる。
【図面の簡単な説明】
【０００８】
【図１】本考案の一実施例であるハーネス型安全帯の着用可能な空調服の使用状態を示す斜視図である。
【図２】同ハーネス型安全帯の着用可能な空調服の取出し筒を示す説明図である。
【図３】同ハーネス型安全帯の着用可能な空調服の取出し筒を示す斜面図である。
【図４】同取出し筒の使用状態を示す説明図である。
【図５】同ハーネス型安全帯の着用可能な空調服の背中部分の要部説明図である。
【図６】同背中部分の収納片を閉じ、取出し筒を収納した状態を示す説明図である。
【図７】ハーネス型安全帯の着用例を示す説明図である。
【考案を実施するための形態】
【０００９】
本考案は、空調服の一部に設けられた開口部と、この開口部に臨んで配設したファンと、前記ファンを駆動するモータと、前記モータを駆動する携帯可能な電源と備え、前記ファンを駆動することにより、外気を空調服内に取り入れ、袖口或いは首周りから排出する空調服であって、前記空調服の背中部分に命綱取出し用の先端の開口した取出し筒を設けたので、ハーネス型安全帯を着用していても背中から命綱を支障なく取り出すことができる。したがって、従来の空調服が着用できない場合でも空調服を着用でき、建設現場等で熱中症の予防が可能である。
【実施例１】
【００１０】
以下、一実施の形態を示す図面に基づいて本考案を詳細に説明する。本考案の一実施例であるハーネス型安全帯の着用可能な空調服の使用状態を示す斜視図、同ハーネス型安全帯の着用可能な空調服の取出し筒を示す説明図、同ハーネス型安全帯の着用可能な空調服の取出し筒を示す斜面図である。ここで、本考案のハーネス型安全帯の着用可能な空調服１０は、空調服の両サイド下端に設けられた開口部１１と、この開口部１１に臨んで配設したファン１２と、ファン１２を駆動する図示しないモータと、このモータを駆動する図示しない携帯可能な電源と備え、前記ファン１２を駆動することにより、外気を空調服内に取り入れ、袖口或いは首周りから排出する空調服であって、前記空調服の背中部分に命綱取出し用の先端の開口した取出し筒１３を設けたものである。
【００１１】
取出し筒１３は、図２、３に示すように基端が空調服に固定されると共に先端の開口した筒状をしており、筒部先端近傍に口紐１４が収納可能な環状袋１５が形成されており、環状袋１５に設けられた切欠き部１５ａから口紐１４の両端部が延出されている。
この口紐１４により取出し筒１３から引き出した命綱１６の周囲を図４に示すように緊縛して、取出し筒１３の開口部を密閉することができる。
【００１２】
また、図３、５に示すように取出し筒１３の周囲の空調服側には、非使用時に取出し筒１３を収納可能な収納片１７が設けられている。収納片１７は、略長方形をしており、一片が空調服に対して開閉可能にヒンジ結合されている。更に、取出し筒１３の基端部周辺の空調服には、帯状の面ファスナー１８ａ、１８ｂ、１８ｃがそれぞれ直角方向に取り付けられている（図５参照）。また、収納片１７の面ファスナー１８ａ、１８ｂ、１８ｃに対向する部位にもそれぞれ帯状の面ファスナー１９ａ、１９ｂ、１９ｃが取り付けられている。したがって、図６に示すように収納片１７は、面ファスナーにより空調服本体に対して開閉可能であり、閉じた際に取出し筒１３及び口紐１４を空調服との間に収納することができる。
【００１３】
また、図３に示すように取出し筒１３は、引き出した際に開成した収納片１７の内側に取り付けられた面ファスナー１９ｂと対向する位置に面ファスナー２０が取り付けられており、この面ファスナー１９ｂと２０を接着することにより、収納片１７を取出し筒１３の側面に固定できる。このように形成することで、取出し筒１３の使用時に収納片１７がバタ付いて、邪魔になることがない。更に、取出し筒１３の内側に一対の面ファスナーを設け、互いに接着させて取出し筒１３を閉じるように構成してもよい。
【００１４】
また、本考案の空調服には、図１に示すように頭部を覆うフード２１が取り付けられている。したがって、ヘルメットを被ったままでも空調服を着用できると共に、ファン１２が取り入れた外気を首周り、頭部にまで供給して冷却することができる。
【００１５】
図７は、ハーネス型安全帯を装着した場合を示す説明図で、命綱１６が作業者の背中部分に取り付けられている。そのため、従来の空調服では着用できなかった。
【００１６】
本考案は上述の実施例に限定されることなく、実用新案登録請求の範囲の記載に基づいて種々の設計変更が可能である。
【符号の説明】
【００１７】
１０    ハーネス型安全帯の着用可能な空調服
１１    開口部
１２    ファン
１３    取出し筒
１４    口紐
１５    環状袋
１５ａ  切欠き部
１６    命綱
１７    収納片
１８ａ〜ｃ  面ファスナー
１９ａ〜ｃ  面ファスナー
２０    面ファスナー
２１    フード
【図１】
0003198778.tif 000003
【図２】
0003198778.tif 000004
【図３】
0003198778.tif 000005
【図４】
0003198778.tif 000006
【図５】
0003198778.tif 000007
【図６】
0003198778.tif 000008
【図７】
0003198778.tif 000009